(57)【要約】  【課題】  移動端末が基地局間を移動した場合に経路切り替えを高速に行う。  【解決手段】  移動体通信基幹網１００のエッジを構成する局交換装置３０、３１、関門交換装置４０の内、移動体通信基幹網にパケットｐ１が入る位置のエッジ装置がパケットｐ１に対して宛先端末の電話番号からマッピングしたラベルを挿入して網内パケットｐ２を生成するとともに、マッピングしたラベルを移動端末１０の位置情報として地域レジスタ７０、７１、ホームレジスタ８０に登録し、網内パケットｐ２を、パケット内のラベルと位置情報に基づいて転送し、移動体通信基幹網から網内パケットｐ２が出る位置のエッジ装置が網内パケットｐ２からラベルを削除して網外に転送する。【選択図】  図１
2004159301.tif 000002
【特許請求の範囲】
【請求項１】
移動体通信基幹網の移動端末の電話番号を前記移動体通信基幹網内を転送される網内パケットのＩＰレイヤより下位の特定レイヤにマッピングするとともに、前記マッピングした情報を前記移動端末の位置情報として登録し、
前記網内パケットを前記移動体通信基幹網内において前記特定レイヤにより、かつ前記位置情報に基づいて転送するよう構成された移動体通信におけるモビリティ制御方法。
【請求項２】
移動体通信基幹網の移動端末の電話番号を前記移動体通信基幹網内を転送される網内パケットのＩＰレイヤより下位の特定レイヤにマッピングするとともに、前記マッピングした情報を前記移動端末の位置情報として登録し、
前記網内パケットを前記移動体通信基幹網内において前記特定レイヤにより、かつ前記位置情報に基づいて転送するよう構成された移動体通信におけるモビリティ制御システム。
【請求項３】
前記移動体通信基幹網のエッジを構成する装置の内、前記移動体通信基幹網にパケットが入る位置のエッジ装置が前記パケットに対して宛先端末の電話番号からマッピングしたラベルを挿入して前記網内パケットを生成するとともに、前記マッピングしたラベルを前記移動端末の位置情報として登録し、
前記網内パケットを、パケット内のラベルと前記位置情報に基づいて転送し、
前記移動体通信基幹網から前記網内パケットが出る位置のエッジ装置が前記網内パケットから前記ラベルを削除して網外に転送するよう構成された請求項２に記載の移動体通信におけるモビリティ制御システム。
【請求項４】
前記移動体通信基幹網のエッジを構成する装置の間に複数のパスをメッシュ状に形成し、
前記移動体通信基幹網にパケットが入る位置のエッジ装置が前記パケットに対して宛先端末の電話番号からマッピングした第１のラベルと前記メッシュ状のパスを識別するための第２のラベルを挿入して前記網内パケットを生成するとともに、前記マッピングした第１及び第２のラベルを前記移動端末の位置情報として登録し、
前記網内パケットを、パケット内の第２のラベルと前記位置情報に基づいて転送し、
前記移動体通信基幹網から前記網内パケットが出る位置のエッジ装置が前記網内パケットから前記第１及び第２のラベルを削除して網外に転送するよう構成された請求項２に記載の移動体通信におけるモビリティ制御システム。
【請求項５】
前記移動体通信基幹網のエッジを構成する装置の間にＭＰＬＳトンネルを生成し、
前記移動体通信基幹網にパケットが入る位置のエッジ装置が前記パケットに対して宛先端末の電話番号からマッピングしたＭＰＬＳラベルを挿入して前記網内パケットを生成するとともに、前記マッピングしたＭＰＬＳラベルを前記移動端末の位置情報として登録し、
前記網内パケットを、パケット内のＭＰＬＳラベルと前記位置情報に基づいて転送し、
前記移動体通信基幹網から前記網内パケットが出る位置のエッジ装置が前記網内パケットから前記ＭＰＬＳラベルを削除して網外に転送するよう構成された請求項２に記載の移動体通信におけるモビリティ制御システム。
【請求項６】
前記ＭＰＬＳラベルは、全ての端末の電話番号をマッピング可能なように複数段にスタックされている請求項５に記載の移動体通信におけるモビリティ制御システム。
【請求項７】
前記移動体通信基幹網のエッジを構成する装置の間に複数のパスをメッシュ状に形成し、
前記移動体通信基幹網にパケットが入る位置のエッジ装置が前記パケットに対して宛先端末の電話番号からマッピングした第１のＭＰＬＳラベルと前記メッシュ状のパスを識別するための第２のＭＰＬＳラベルを挿入して前記網内パケットを生成するとともに、前記マッピングした第１及び第２のＭＰＬＳラベルを前記移動端末の位置情報として登録し、
前記網内パケットを、パケット内の第２のＭＰＬＳラベルと前記位置情報に基づいて転送し、
前記移動体通信基幹網から前記網内パケットが出る位置のエッジ装置が前記網内パケットから前記第１及び第２のＭＰＬＳラベルを削除して網外に転送するよう構成された請求項２に記載の移動体通信におけるモビリティ制御システム。
【請求項８】
前記移動体通信基幹網のエッジを構成する装置の間にレイヤ２トンネルを形成し、
前記移動体通信基幹網にパケットが入る位置のエッジ装置が前記パケットに対して宛先端末の電話番号からマッピングしたＭＡＣアドレスを挿入して前記網内パケットを生成するとともに、前記マッピングしたＭＡＣラベルを前記移動端末の位置情報として登録し、
前記網内パケットを、パケット内のＭＡＣアドレスと前記位置情報に基づいて転送し、
前記移動体通信基幹網から前記網内パケットが出る位置のエッジ装置が前記網内パケットから前記ＭＡＣアドレスを削除して網外に転送するよう構成された請求項２に記載の移動体通信におけるモビリティ制御システム。
【請求項９】
前記移動体通信基幹網のエッジを構成する装置の間にＶＬＡＮを形成し、
前記移動体通信基幹網にパケットが入る位置のエッジ装置が前記パケットに対して宛先端末の電話番号からマッピングしたＶＬＡＮ識別子を挿入して前記網内パケットを生成するとともに、前記マッピングしたＶＬＡＮ識別子を前記移動端末の位置情報として登録し、
前記網内パケットを、パケット内のＶＬＡＮ識別子と前記位置情報に基づいて転送し、
前記移動体通信基幹網から前記網内パケットが出る位置のエッジ装置が前記網内パケットから前記ＶＬＡＮ識別子を削除して網外に転送するよう構成された請求項２に記載の移動体通信におけるモビリティ制御システム。
【請求項１０】
前記ＶＬＡＮ識別子は、全ての端末の電話番号をマッピング可能なように複数段にスタックされている請求項９に記載の移動体通信におけるモビリティ制御システム。
【請求項１１】
前記移動体通信基幹網のエッジを構成する装置の間に複数のパスをメッシュ状に形成し、
前記移動体通信基幹網にパケットが入る位置のエッジ装置が前記パケットに対して宛先端末の電話番号からマッピングした第１のＶＬＡＮ識別子と前記メッシュ状のパスを識別するための第２のＶＬＡＮ識別子を挿入して前記網内パケットを生成するとともに、前記マッピングした第１及び第２のＶＬＡＮ識別子を前記移動端末の位置情報として登録し、
前記網内パケットを、パケット内の第２のＶＬＡＮ識別子と前記位置情報に基づいて転送し、
前記移動体通信基幹網から前記網内パケットが出る位置のエッジ装置が前記網内パケットから前記第１及び第２のＶＬＡＮ識別子を削除して網外に転送するよう構成された請求項２に記載の移動体通信におけるモビリティ制御システム。
【請求項１２】
移動体通信基幹網のエッジにおいて外のネットワークと接続する関門交換装置であって、
前記外のネットワークから網内に入るパケットに対して、宛て先端末の電話番号をＩＰレイヤより下位の特定レイヤにマッピングして網内パケットを生成するとともに、前記マッピングした情報を移動端末の位置情報として登録し、前記網内パケットを前記特定レイヤにより、かつ前記位置情報に基づいて網内に転送する手段と、
前記移動体通信基幹網から前記外のネットワークに出る網内パケットから前記マッピングされた電話番号を削除して網外に転送する手段とを、
備えた関門交換装置。
【請求項１３】
移動体通信基幹網のエッジにおいて移動端末と接続する局交換装置であって、
前記移動端末から網内に入るパケットに対して、宛て先端末の電話番号をＩＰレイヤより下位の特定レイヤにマッピングして網内パケットを生成するとともに、前記マッピングした情報を前記移動端末の位置情報として登録し、前記網内パケットを前記特定レイヤにより、かつ前記位置情報に基づいて網内に転送する手段と、
前記移動体通信基幹網から前記移動端末に出る網内パケットから前記マッピングされた電話番号を削除して前記移動端末に転送する手段とを、
備えた局交換装置。
【請求項１４】
移動体通信基幹網のエッジにおいて移動端末と接続するエッジ装置と、前記移動端末基幹網のエッジにおいて外のネットワークと接続するエッジ装置との間に複数のパスをメッシュ状にあらかじめ形成しておき、
前記エッジ装置に、前記複数のパスのそれぞれを特定するラベルをあらかじめ保持させておき、
前記移動端末から前記移動体通信基幹網を通って前記外のネットワークに転送されるパケットに関しては、前記移動端末と接続するエッジ装置が、前記パケットの宛先アドレスの特定箇所にあらかじめマッピングされている前記移動端末の電話番号を前記移動端末の位置情報として登録するとともに、前記パケットに対して前記パケットの宛先アドレスに応じた前記ラベルを挿入して網内パケットを生成し、前記ラベルに基づいて転送された前記網内パケットを受信した前記外のネットワークと接続するエッジ装置が、前記網内パケットから前記ラベルを削除して前記外のネットワークに転送し、
前記外のネットワークから前記移動体通信基幹網を通って前記移動端末に転送されるパケットに関しては、前記外のネットワークと接続する前記エッジ装置が、前記位置情報に基づいて前記移動端末と接続するエッジ装置を特定して、前記パケットに対して前記特定されたエッジ装置へのパスに対応した前記ラベルを挿入して網内パケットを生成し、前記ラベルに基づいて転送された前記網内パケットを受信した前記移動端末と接続する前記エッジ装置が、前記網内パケットから前記ラベルを削除して、前記ラベルが削除されたパケットの宛先アドレスの特定箇所にあらかじめマッピングされている前記移動端末の電話番号を参照して、前記移動端末に前記パケットを転送する移動体通信におけるモビリティ制御方法。
【請求項１５】
移動体通信基幹網のエッジにおいて移動端末と接続するエッジ装置と、前記移動端末基幹網のエッジにおいて外のネットワークと接続するエッジ装置との間に複数のパスをメッシュ状にあらかじめ形成されている移動体通信におけるモビリティ制御システムであって、
前記エッジ装置が、前記複数のパスのそれぞれを特定するラベルをあらかじめ保持しており、
前記移動端末から前記移動体通信基幹網を通って前記外のネットワークに転送されるパケットに関しては、前記移動端末と接続するエッジ装置が、前記パケットの宛先アドレスの特定箇所にあらかじめマッピングされている前記移動端末の電話番号を前記移動端末の位置情報として登録するとともに、前記パケットに対して前記パケットの宛先アドレスに応じた前記ラベルを挿入して網内パケットを生成し、前記ラベルに基づいて転送された前記網内パケットを受信した前記外のネットワークと接続するエッジ装置が、前記網内パケットから前記ラベルを削除して前記外のネットワークに転送し、
前記外のネットワークから前記移動体通信基幹網を通って前記移動端末に転送されるパケットに関しては、前記外のネットワークと接続する前記エッジ装置が、前記位置情報に基づいて前記移動端末と接続するエッジ装置を特定して、前記パケットに対して前記特定されたエッジ装置へのパスに対応した前記ラベルを挿入して網内パケットを生成し、前記ラベルに基づいて転送された前記網内パケットを受信した前記移動端末と接続する前記エッジ装置が、前記網内パケットから前記ラベルを削除して、前記ラベルが削除されたパケットの宛先アドレスの特定箇所にあらかじめマッピングされている前記移動端末の電話番号を参照して、前記移動端末に前記パケットを転送するよう構成された移動体通信におけるモビリティ制御システム。
【請求項１６】
前記メッシュ状に形成された複数のパスがＭＰＬＳパスであり、前記ラベルがＭＰＬＳラベルであって、前記移動体通信基幹網において、前記網内パケットが前記ＭＰＬＳラベルに基づいて転送されるよう構成された請求項１５に記載のモビリティ制御システム。
【請求項１７】
前記メッシュ状に形成された複数のパスがＭＡＣレイヤのトンネルであり、前記ラベルが前記トンネルの宛先ＭＡＣアドレスであって、前記移動体通信基幹網において、前記網内パケットが前記宛先ＭＡＣアドレスに基づいて転送されるよう構成された請求項１５に記載のモビリティ制御システム。
【請求項１８】
前記メッシュ状に形成された複数のパスがＶＬＡＮによるパスであり、前記ラベルが前記ＶＬＡＮタグであって、前記移動体通信基幹網において、前記網内パケットが前記ＶＬＡＮタグに基づいて転送されるよう構成された請求項１５に記載のモビリティ制御システム。
【請求項１９】
移動体通信基幹網のエッジにおいて移動端末と接続する局交換装置であって、
前記移動体通信基幹網内においてメッシュ状にあらかじめ形成された前記複数のパスのそれぞれを特定するラベルを保持する手段と、
前記移動体通信基幹網内に入るパケットに対して、前記パケットの宛先アドレスに対応したラベルを挿入して前記網内パケットを生成し、前記網内パケットを前記移動体通信基幹網内に転送する手段と、
前記移動体通信基幹網から前記移動端末に出る網内パケットから前記ラベルを削除して、前記ラベルが削除されたパケットの宛先アドレスの特定箇所にあらかじめマッピングされている前記移動端末の電話番号を参照して、前記移動端末に前記パケットを転送する手段とを、
備えた局交換装置。
【発明の詳細な説明】
【技術分野】
【０００１】
本発明は、移動端末が基地局間を移動した場合に経路切り替えを行う移動体通信におけるモビリティ制御方法及びシステム並びに関門交換装置及び局交換装置に関し、特にＩＰサポートした移動体通信におけるモビリティ制御方法に関する。
【背景技術】
【０００２】
固定通信網と同じように移動通信網も高速ＩＰ通信の普及が見込まれ、また将来的に音声通信もＩＰサポートによる通信になると考えられている。移動体通信では、端末の移動による端末と基地局間の通信の切り替えを高速に行うことが必須となっている。このような端末のモビリティ制御を行う上で、ＩＰレベルでのモビリティ制御として、ＩＥＴＦ（Internet Engineering Task Force）で標準化に向けて策定が進んでいるモバイルＩＰ（非特許文献１）によるモビリティ制御方式が提案されている。
【非特許文献１】Mobility Support in IPv6:draft-ietf-mobileip-ipv6-16.txt                    <ＵＲＬ：http://www.ietf.org/lid-abstracts.html>
【０００３】
図３０はモバイルＩＰを用いた移動端末に対するモビリティ制御方式を簡単に示している。基地局２０、２１はそれぞれ局交換装置３０、３１に収容され、局交換装置３０、３１をお互いに接続した移動体通信基幹網１００を通して通信を行っている。本例では、移動端末である携帯電話機（図中単に携帯電話と示す）１０は基地局２０、移動体通信基幹網１００の局交換装置３０及び関門交換装置４０、ゲートウエイ６０を通ってインターネットを通して固定端末（ＩＰ電話機）５０と通信を行っている。
【０００４】
ここで、携帯電話機１０のＩＰアドレスを（Ａ）、固定のＩＰ電話機５０のＩＰアドレスを（Ｂ）とし、携帯電話機１０のホームエージェント（以下ＨＡ）は局交換装置３０とする。携帯電話機１０が局交換装置３０の配下にある場合は、固定端末であるＩＰ電話機５０との通信は、固定のＩＰ通信と同じようにＩＰ通信を行っている。この場合、携帯電話機１０からＩＰ電話機５０に対しては、送信元ＩＰアドレス（以下、ｓｒｃ）＝（Ａ）、送信先ＩＰアドレス（以下、ｄｓｔ）＝（Ｂ）とするパケットｐ３１が転送され、ＩＰ電話機５０から携帯電話機１０に対しては、ｓｒｃ＝（Ｂ）、ｄｓｔ＝（Ａ）とするパケットｐ３２が転送される。
【０００５】
携帯電話機１０が基地局２０から基地局２１のサービスゾーンに移動する場合の処理を図３１を用いて示す。ＩＰアドレス＝（Ｈ）の局交換装置３０の配下から、ＩＰアドレス＝（Ｃ）の局交換装置３１の配下の基地局２１との通信に切り替え時に、携帯電話機１０は局交換装置３１のＩＰアドレス（Care of Address）を取得し、携帯電話機１０が局交換装置３１側から局交換装置３０側に移動したことを通知する。局交換装置３０は局交換装置３１の間にＩＰトンネルＴを生成する。
【０００６】
携帯電話機１０がＨＡである局交換装置３０に対して、ｓｒｃ＝（Ａ）、ｄｓｔ＝（Ｂ）とするパケットｐ３１を送信すると、局交換装置３０は携帯電話機１０がどこに移動したかを知っているので、局交換装置３１に対してＩＰトンネルＴで、上記パケットｐ３１に対してｓｒｃ＝（Ｈ）、ｄｓｔ＝（Ｃ）を含むＩＰヘッダを付与したパケットｐ３３を転送する。局交換装置３１は受信パケットｐ３３から外側のＩＰヘッダを取り外して、移動した携帯電話機１０にパケットｐ３１を転送する。
【０００７】
携帯電話機１０が局交換装置３１に対してＩＰ電話機５０宛のパケットｐ３１を送信すると、局交換装置３１はＩＰ電話機５０に対して、ｓｒｃ＝（Ｃ）、ｄｓｔ＝（Ｂ）、移動した携帯電話機１０のアドレスＨｏＡＯｐｔ＝（Ａ）とするパケットｐ３４を転送する。次の契機にはＩＰ電話機５０は、携帯電話機１０の位置を局交換装置３１にあると認識し、局交換装置３０を通さずに局交換装置３１を通して、ｓｒｃ＝（Ｂ）、ｄｓｔ＝（Ａ）とするパケットｐ３２を送信する。
【発明の開示】
【発明が解決しようとする課題】
【０００８】
しかしながら、上記のモバイルＩＰによるＩＰサポート方式は、移動元の局交換装置３０と移動先の局交換装置３１との間でＩＰトンネルＴを形成したり、移動先をルーティングして外側ＩＰヘッダを付与するなどの動作を行うので、複雑なシグナリング手順を踏む必要があるため、手順が複雑であり、移動体通信に必須な高速なモビリティ制御が難しいという問題点がある。
【０００９】
本発明は上記従来例の問題点に鑑み、移動端末が基地局間を移動した場合の経路切り替えを高速に行うことができる移動体通信におけるモビリティ制御方法及びシステム並びに関門交換装置及び局交換装置を提供することを目的とする。
【課題を解決するための手段】
【００１０】
請求項１、２に記載の発明は上記目的を達成するために、
移動体通信基幹網の移動端末の電話番号を前記移動体通信基幹網内を転送される網内パケットのＩＰレイヤより下位の特定レイヤにマッピングするとともに、前記マッピングした情報を前記移動端末の位置情報として登録し、
前記網内パケットを前記移動体通信基幹網内において前記特定レイヤにより、かつ前記位置情報に基づいて転送するよう構成されている。
上記方法及び構成では、例えば、まず、転送プレーンに関しては、移動端末の電話番号をＩＰアドレスの下位３２ビットに割り当て、ＩＰアドレスをマッピングしたＩＰより下位の特定レイヤにマッピングし、局交換装置及び関門交換装置間を特定レイヤにより転送をする。局交換装置と移動端末の間は、従来の電話網と同じように、ＩＰアドレスの特定個所にマッピングされている端末の電話番号を、従来の電話網の転送で用いているレイヤ１にマッピングし、該当する端末にパケットを転送する。また、制御プレーンにおいては、端末の位置情報を地域レジスタ（ＶＬＲ）とホームレジスタ（ＨＬＲ）において常に一元的に管理しており、従来の電話網において既に実現しているので、その端末位置情報から、局交換装置及び関門交換装置での前記特定レイヤでの経路情報に常にマッピングを行う。そのため、高速なモビリティ制御が可能となる。
【００１１】
請求項３に記載の発明は、請求項２に記載の移動体通信におけるモビリティ制御システムにおいて、
前記移動体通信基幹網のエッジを構成する装置の内、前記移動体通信基幹網にパケットが入る位置のエッジ装置が前記パケットに対して宛先端末の電話番号からマッピングしたラベルを挿入して前記網内パケットを生成するとともに、前記マッピングしたラベルを前記移動端末の位置情報として登録し、
前記網内パケットを、パケット内のラベルと前記位置情報に基づいて転送し、
前記移動体通信基幹網から前記網内パケットが出る位置のエッジ装置が前記網内パケットから前記ラベルを削除して網外に転送するよう構成されている。
上記構成により、例えば各移動端末に割り当てられるＩＰｖ６アドレスに対して、その下位３２ビットに電話番号をマッピングし、局交換装置間及び関門交換装置間をそのＩＰアドレスからマッピングしたラベルで転送を行う移動体通信ネットワークにおいて、移動端末の位置情報の登録を行っているＨＬＲ、ＶＬＲの情報を前記ラベルによる経路情報にマッピングすることで、モバイルＩＰ方式のようなシグナリング手順を複雑化せず、従来の移動体通信のモビリティ制御の能力をそのまま踏襲してＩＰサポートを行うモビリティ制御が可能となる。
【００１２】
請求項４に記載の発明は、請求項２に記載の移動体通信におけるモビリティ制御システムにおいて、
前記移動体通信基幹網のエッジを構成する装置の間に複数のパスをメッシュ状に形成し、
前記移動体通信基幹網にパケットが入る位置のエッジ装置が前記パケットに対して宛先端末の電話番号からマッピングした第１のラベルと前記メッシュ状のパスを識別するための第２のラベルを挿入して前記網内パケットを生成するとともに、前記マッピングした第１及び第２のラベルを前記移動端末の位置情報として登録し、
前記網内パケットを、パケット内の第２のラベルと前記位置情報に基づいて転送し、
前記移動体通信基幹網から前記網内パケットが出る位置のエッジ装置が前記網内パケットから前記第１及び第２のラベルを削除して網外に転送するよう構成されている。
上記構成により、局交換装置ごとにあらかじめメッシュでパスを張っておき、そのトンネルにマッピングさせる方式で転送を行うネットワークにおいては、移動端末の位置情報の登録を行っているＨＬＲ、ＶＬＲの情報に対して、移動体通信基幹網内の中継装置の経路情報へのマッピングを必要とせず、局交換装置及び関門交換装置のラベル経路情報へのマッピングのみで、従来の移動体通信のモビリティ制御能力をそのまま踏襲してＩＰサポートを行うモビリティ制御が可能となる。
【００１３】
請求項５に記載の発明は、請求項２に記載の移動体通信におけるモビリティ制御システムにおいて、
前記移動体通信基幹網のエッジを構成する装置の間にＭＰＬＳトンネルを生成し、
前記移動体通信基幹網にパケットが入る位置のエッジ装置が前記パケットに対して宛先端末の電話番号からマッピングしたＭＰＬＳラベルを挿入して前記網内パケットを生成するとともに、前記マッピングしたＭＰＬＳラベルを前記移動端末の位置情報として登録し、
前記網内パケットを、パケット内のＭＰＬＳラベルと前記位置情報に基づいて転送し、
前記移動体通信基幹網から前記網内パケットが出る位置のエッジ装置が前記網内パケットから前記ＭＰＬＳラベルを削除して網外に転送するよう構成されている。
上記構成により、例えば各移動端末に割り当てられるＩＰｖ６アドレスに対して、その下位３２ビットに電話番号をマッピングし、局交換装置間及び関門交換装置間をそのＩＰアドレスからマッピングされたＭＰＬＳラベルにより転送される移動体通信基幹網において、移動端末の位置情報の登録を行っているＨＬＲ、ＶＬＲの情報を前記ＭＰＬＳラベルによる経路情報にマッピングすることで、ＱｏＳの適用やサービスの細粒化も容易となり、ＩＰサポートしたネットワークでのモビリティ制御が可能となる。
【００１４】
請求項６に記載の発明は、請求項５に記載の移動体通信におけるモビリティ制御システムにおいて、
前記ＭＰＬＳラベルが、全ての端末の電話番号をマッピング可能なように複数段にスタックされる構成となっている。
上記構成により、例えば各移動端末に割り当てられるＩＰｖ６アドレスに対して、その下位３２ビットに電話番号をマッピングし、局交換装置間及び関門交換装置間をそのＩＰアドレスからマッピングされた複数段のＭＰＬＳラベルにより転送される移動体通信基幹網において、移動端末の位置情報の登録を行っているＨＬＲ、ＶＬＲの情報を前記ＭＰＬＳラベルによる経路情報にマッピングすることで、多数のユーザを加入可能な、ＩＰサポートを行うネットワークでのモビリティ制御が可能となる。
【００１５】
請求項７に記載の発明は、請求項２に記載の移動体通信におけるモビリティ制御システムにおいて、
前記移動体通信基幹網のエッジを構成する装置の間に複数のパスをメッシュ状に形成し、
前記移動体通信基幹網にパケットが入る位置のエッジ装置が前記パケットに対して宛先端末の電話番号からマッピングした第１のＭＰＬＳラベルと前記メッシュ状のパスを識別するための第２のＭＰＬＳラベルを挿入して前記網内パケットを生成するとともに、前記マッピングした第１及び第２のＭＰＬＳラベルを前記移動端末の位置情報として登録し、
前記網内パケットを、パケット内の第２のＭＰＬＳラベルと前記位置情報に基づいて転送し、
前記移動体通信基幹網から前記網内パケットが出る位置のエッジ装置が前記網内パケットから前記第１及び第２のＭＰＬＳラベルを削除して網外に転送するよう構成されている。
上記構成により、局交換装置ごとにあらかじめＭＰＬＳパスのメッシュでパスを張っておき、そのトンネルにマッピングさせる方式で転送を行うネットワークにおいては、移動端末の位置情報の登録を行っているＨＬＲ、ＶＬＲの情報に対して、移動体通信基幹網内の中継装置の経路情報へのマッピングを必要とせず、ネットワークの大規模化が容易で、かつＱｏＳの適用やサービスの細粒化も容易となり、ＩＰサポートしたネットワークでのモビリティ制御が可能となる。
【００１６】
請求項８に記載の発明は、請求項２に記載の移動体通信におけるモビリティ制御システムにおいて、
前記移動体通信基幹網のエッジを構成する装置の間にレイヤ２トンネルを形成し、
前記移動体通信基幹網にパケットが入る位置のエッジ装置が前記パケットに対して宛先端末の電話番号からマッピングしたＭＡＣアドレスを挿入して前記網内パケットを生成するとともに、前記マッピングしたＭＡＣラベルを前記移動端末の位置情報として登録し、
前記網内パケットを、パケット内のＭＡＣアドレスと前記位置情報に基づいて転送し、
前記移動体通信基幹網から前記網内パケットが出る位置のエッジ装置が前記網内パケットから前記ＭＡＣアドレスを削除して網外に転送するよう構成されている。
上記構成により、例えば各移動端末に割り当てられるＩＰｖ６アドレスに対して、その下位３２ビットに電話番号をマッピングし、局交換装置間及び関門交換装置間をそのＩＰアドレスからマッピングされたＭＡＣアドレスにより転送される移動体通信基幹網において、移動端末の位置情報の登録を行っているＨＬＲ、ＶＬＲの情報を前記ＭＡＣアドレスによる転送情報にマッピングすることで、レイヤ２レベルでの適用のみで移動体通信基幹網の構築が可能となる。
【００１７】
請求項９に記載の発明は、請求項２に記載の移動体通信におけるモビリティ制御システムにおいて、
前記移動体通信基幹網のエッジを構成する装置の間にＶＬＡＮを形成し、
前記移動体通信基幹網にパケットが入る位置のエッジ装置が前記パケットに対して宛先端末の電話番号からマッピングしたＶＬＡＮ識別子を挿入して前記網内パケットを生成するとともに、前記マッピングしたＶＬＡＮ識別子を前記移動端末の位置情報として登録し、
前記網内パケットを、パケット内のＶＬＡＮ識別子と前記位置情報に基づいて転送し、
前記移動体通信基幹網から前記網内パケットが出る位置のエッジ装置が前記網内パケットから前記ＶＬＡＮ識別子を削除して網外に転送するよう構成されている。
上記構成により、例えば各移動端末に割り当てられるＩＰｖ６アドレスに対して、その下位３２ビットに電話番号をマッピングし、局交換装置間及び関門交換装置間をそのＩＰアドレスからマッピングされたＶＬＡＮタグにより転送される移動体通信基幹網において、移動端末の位置情報の登録を行っているＨＬＲ、ＶＬＲの情報をＶＬＡＮタグによる経路情報にマッピングすることで、ＶＬＡＮスイッチの適用が可能な移動体通信基幹網の構築が可能となる。
【００１８】
請求項１０に記載の発明は、請求項９に記載の移動体通信におけるモビリティ制御システムにおいて、
前記ＶＬＡＮ識別子が、全ての端末の電話番号をマッピング可能なように複数段にスタックされる構成となっている。
上記構成により、例えば各移動端末に割り当てられるＩＰｖ６アドレスに対して、その下位３２ビットに電話番号をマッピングし、局交換装置間及び関門交換装置間をそのＩＰアドレスからマッピングされた複数段のＶＬＡＮタグにより転送される移動体通信基幹網において、移動端末の位置情報の登録を行っているＨＬＲ、ＶＬＲの情報をＶＬＡＮタグによる経路情報にマッピングすることで、多数のユーザを収容でき、ＶＬＡＮスイッチの適用が可能な移動体通信基幹網の構築が可能となる。
【００１９】
請求項１１に記載の発明は、請求項２に記載の移動体通信におけるモビリティ制御システムにおいて、
前記移動体通信基幹網のエッジを構成する装置の間に複数のパスをメッシュ状に形成し、
前記移動体通信基幹網にパケットが入る位置のエッジ装置が前記パケットに対して宛先端末の電話番号からマッピングした第１のＶＬＡＮ識別子と前記メッシュ状のパスを識別するための第２のＶＬＡＮ識別子を挿入して前記網内パケットを生成するとともに、前記マッピングした第１及び第２のＶＬＡＮ識別子を前記移動端末の位置情報として登録し、
前記網内パケットを、パケット内の第２のＶＬＡＮ識別子と前記位置情報に基づいて転送し、
前記移動体通信基幹網から前記網内パケットが出る位置のエッジ装置が前記網内パケットから前記第１及び第２のＶＬＡＮ識別子を削除して網外に転送するよう構成されている。
上記構成により、局交換装置ごとにあらかじめＶＬＡＮパスでメッシュでパスを張っておき、そのトンネルにマッピングさせる方式で転送を行うネットワークにおいては、移動端末の位置情報の登録を行っているＨＬＲ、ＶＬＲの情報に対して、移動体通信基幹網内の中継装置の経路情報へのマッピングを必要とせず、また転送に必要なＶＬＡＮを束ねることができ、多数のユーザが収容できるＶＬＡＮスイッチの適用が可能な移動体通信基幹網の構築が可能となる。
【００２０】
請求項１２に記載の発明は、移動体通信基幹網のエッジにおいて外のネットワークと接続する関門交換装置であって、
前記外のネットワークから網内に入るパケットに対して、宛て先端末の電話番号をＩＰレイヤより下位の特定レイヤにマッピングして網内パケットを生成するとともに、前記マッピングした情報を移動端末の位置情報として登録し、前記網内パケットを前記特定レイヤにより、かつ前記位置情報に基づいて網内に転送する手段と、
前記移動体通信基幹網から前記外のネットワークに出る網内パケットから前記マッピングされた電話番号を削除して網外に転送する手段とを、
備えた構成とした。
上記構成により、移動端末が基地局間を移動した場合の経路切り替えを高速に行うことが可能となる。
【００２１】
請求項１３に記載の発明は、移動体通信基幹網のエッジにおいて移動端末と接続する局交換装置であって、
前記移動端末から網内に入るパケットに対して、宛て先端末の電話番号をＩＰレイヤより下位の特定レイヤにマッピングして網内パケットを生成するとともに、前記マッピングした情報を前記移動端末の位置情報として登録し、前記網内パケットを前記特定レイヤにより、かつ前記位置情報に基づいて網内に転送する手段と、
前記移動体通信基幹網から前記移動端末に出る網内パケットから前記マッピングされた電話番号を削除して前記移動端末に転送する手段とを、
備えた構成とした。
上記構成により、移動端末が基地局間を移動した場合の経路切り替えを高速に行うことが可能となる。
【００２２】
請求項１４、１５に記載の発明は、移動体通信基幹網のエッジにおいて移動端末と接続するエッジ装置と、前記移動端末基幹網のエッジにおいて外のネットワークと接続するエッジ装置との間に複数のパスをメッシュ状にあらかじめ形成しておき、
前記エッジ装置に、前記複数のパスのそれぞれを特定するラベルをあらかじめ保持させておき、
前記移動端末から前記移動体通信基幹網を通って前記外のネットワークに転送されるパケットに関しては、前記移動端末と接続するエッジ装置が、前記パケットの宛先アドレスの特定箇所にあらかじめマッピングされている前記移動端末の電話番号を前記移動端末の位置情報として登録するとともに、前記パケットに対して前記パケットの宛先アドレスに応じた前記ラベルを挿入して網内パケットを生成し、前記ラベルに基づいて転送された前記網内パケットを受信した前記外のネットワークと接続するエッジ装置が、前記網内パケットから前記ラベルを削除して前記外のネットワークに転送し、
前記外のネットワークから前記移動体通信基幹網を通って前記移動端末に転送されるパケットに関しては、前記外のネットワークと接続する前記エッジ装置が、前記位置情報に基づいて前記移動端末と接続するエッジ装置を特定して、前記パケットに対して前記特定されたエッジ装置へのパスに対応した前記ラベルを挿入して網内パケットを生成し、前記ラベルに基づいて転送された前記網内パケットを受信した前記移動端末と接続する前記エッジ装置が、前記網内パケットから前記ラベルを削除して、前記ラベルが削除されたパケットの宛先アドレスの特定箇所にあらかじめマッピングされている前記移動端末の電話番号を参照して、前記移動端末に前記パケットを転送することを特徴とする。
上記方法及び構成により、移動体通信基幹網では、従来のパケット転送で用いられているラベルを挿入することによってパケットの転送が可能となり、また、管理するパス数やラベル数を減らすことが可能となって、移動端末が基地局間を移動した場合の経路切り替えを高速に行うことが可能となる。
【００２３】
請求項１６に記載の発明は、請求項１５に記載の移動体通信におけるモビリティ制御システムにおいて、
前記メッシュ状に形成された複数のパスがＭＰＬＳパスであり、前記ラベルがＭＰＬＳラベルであって、前記移動体通信基幹網において、前記網内パケットが前記ＭＰＬＳラベルに基づいて転送されるよう構成されている。
上記構成により、移動体通信基幹網では、従来のパケット転送で用いられているＭＰＬＳラベルを挿入することによってパケットの転送が可能となり、また、管理するパス数やラベル数を減らすことが可能となって、移動端末が基地局間を移動した場合の経路切り替えを高速に行うことが可能となる。
【００２４】
請求項１７に記載の発明は、請求項１５に記載の移動体通信におけるモビリティ制御システムにおいて、
前記メッシュ状に形成された複数のパスがＭＡＣレイヤのトンネルであり、前記ラベルが前記トンネルの宛先ＭＡＣアドレスであって、前記移動体通信基幹網において、前記網内パケットが前記宛先ＭＡＣアドレスに基づいて転送されるよう構成されている。
上記構成により、移動体通信基幹網では、従来のパケット転送で用いられているトンネルの宛先ＭＡＣアドレスを挿入することによってパケットの転送が可能となり、また、管理するパス数やラベル数を減らすことが可能となって、移動端末が基地局間を移動した場合の経路切り替えを高速に行うことが可能となる。
【００２５】
請求項１８に記載の発明は、請求項１５に記載の移動体通信におけるモビリティ制御システムにおいて、
前記メッシュ状に形成された複数のパスがＶＬＡＮによるパスであり、前記ラベルが前記ＶＬＡＮタグであって、前記移動体通信基幹網において、前記網内パケットが前記ＶＬＡＮタグに基づいて転送されるよう構成されている。
上記構成により、移動体通信基幹網では、従来のパケット転送で用いられているＶＬＡＮタグを挿入することによってパケットの転送が可能となり、また、管理するパス数やラベル数を減らすことが可能となって、移動端末が基地局間を移動した場合の経路切り替えを高速に行うことが可能となる。
【００２６】
請求項１９に記載の発明は、移動体通信基幹網のエッジにおいて移動端末と接続する局交換装置であって、
前記移動体通信基幹網内においてメッシュ状にあらかじめ形成された前記複数のパスのそれぞれを特定するラベルを保持する手段と、
前記移動体通信基幹網内に入るパケットに対して、前記パケットの宛先アドレスに対応したラベルを挿入して前記網内パケットを生成し、前記網内パケットを前記移動体通信基幹網内に転送する手段と、
前記移動体通信基幹網から前記移動端末に出る網内パケットから前記ラベルを削除して、前記ラベルが削除されたパケットの宛先アドレスの特定箇所にあらかじめマッピングされている前記移動端末の電話番号を参照して、前記移動端末に前記パケットを転送する手段とを、
備えた構成とした。
上記構成により、移動体通信基幹網では、従来のパケット転送で用いられているラベルを挿入することによってパケットの転送が可能となり、また、管理するパス数やラベル数を減らすことが可能となって、移動端末が基地局間を移動した場合の経路切り替えを高速に行うことが可能となる。
【発明の効果】
【００２７】
以上説明したように請求項１、２、１２、１３に記載の発明によれば、高速なモビリティ制御が可能となる。
請求項３に記載の発明によれば、例えば各移動端末に割り当てられるＩＰｖ６アドレスに対して、その下位３２ビットに電話番号をマッピングし、局交換装置間及び関門交換装置間をそのＩＰアドレスからマッピングしたラベルで転送を行う移動体通信ネットワークにおいて、移動端末の位置情報の登録を行っているＨＬＲ、ＶＬＲの情報を前記ラベルによる経路情報にマッピングすることで、モバイルＩＰ方式のようなシグナリング手順を複雑とせず、従来の移動体通信のモビリティ制御の能力をそのまま踏襲してＩＰサポートを行うモビリティ制御が可能となる。
請求項４に記載の発明によれば、局交換装置ごとにあらかじめメッシュでパスを張っておき、そのトンネルにマッピングさせる方式で転送を行うネットワークにおいては、移動端末の位置情報の登録を行っているＨＬＲ、ＶＬＲの情報に対して、移動体通信基幹網内の中継装置の経路情報へのマッピングを必要とせず、局交換装置及び関門交換装置のラベル経路情報へのマッピングのみで、従来の移動体通信のモビリティ制御能力をそのまま踏襲してＩＰサポートを行うモビリティ制御が可能となる。
請求項５に記載の発明によれば、例えば各移動端末に割り当てられるＩＰｖ６アドレスに対して、その下位３２ビットに電話番号をマッピングし、局交換装置間及び関門交換装置間をそのＩＰアドレスからマッピングされたＭＰＬＳラベルにより転送される移動体通信基幹網において、移動端末の位置情報の登録を行っているＨＬＲ、ＶＬＲの情報を前記ＭＰＬＳラベルによる経路情報にマッピングすることで、ＱｏＳの適用やサービスの細粒化も容易となる、ＩＰサポートしたネットワークでのモビリティ制御が可能となる。
請求項６に記載の発明によれば、例えば各移動端末に割り当てられるＩＰｖ６アドレスに対して、その下位３２ビットに電話番号をマッピングし、局交換装置間及び関門交換装置間をそのＩＰアドレスからマッピングされた複数段のＭＰＬＳラベルにより転送される移動体通信基幹網において、移動端末の位置情報の登録を行っているＨＬＲ、ＶＬＲの情報をＭＰＬＳラベルによる経路情報にマッピングすることで、多数のユーザを加入可能な、ＩＰサポートを行うネットワークでのモビリティ制御が可能となる。
請求項７に記載の発明によれば、局交換装置ごとにあらかじめＭＰＬＳパスでメッシュでパスを張っておき、そのトンネルにマッピングさせる方式で転送を行うネットワークにおいては、移動端末の位置情報の登録を行っているＨＬＲ、ＶＬＲの情報に対して、移動体通信基幹網内の中継装置の経路情報へのマッピングを必要とせず、ネットワークの大規模化が容易でかつＱｏＳの適用やサービスの細粒化も容易となる、ＩＰサポートしたネットワークでのモビリティ制御が可能となる。
請求項８に記載の発明によれば、例えば各移動端末に割り当てられるＩＰｖ６アドレスに対して、その下位３２ビットに電話番号をマッピングし、局交換装置間及び関門交換装置間をそのＩＰアドレスからマッピングされたＭＡＣアドレスにより転送される移動体通信基幹網において、移動端末の位置情報の登録を行っているＨＬＲ、ＶＬＲの情報を前記ＭＡＣアドレスによる転送情報にマッピングすることで、レイヤ２レベルでの適用のみで移動体通信基幹網の構築が可能となる。
請求項９に記載の発明によれば、例えば各移動端末に割り当てられるＩＰｖ６アドレスに対して、その下位３２ビットに電話番号をマッピングし、局交換装置間及び関門交換装置間をそのＩＰアドレスからマッピングされたＶＬＡＮタグにより転送される移動体通信基幹網において、移動端末の位置情報の登録を行っているＨＬＲ、ＶＬＲの情報をＶＬＡＮタグによる経路情報にマッピングすることで、ＶＬＡＮスイッチの適用が可能な移動他通信基幹網の構築が可能となる。
請求項１０に記載の発明によれば、例えば各移動端末に割り当てられるＩＰｖ６アドレスに対して、その下位３２ビットに電話番号をマッピングし、局交換装置間及び関門交換装置間をそのＩＰアドレスからマッピングされた複数段のＶＬＡＮタグにより転送される移動体通信基幹網において、移動端末の位置情報の登録を行っているＨＬＲ、ＶＬＲの情報をＶＬＡＮタグによる経路情報にマッピングすることで、多数のユーザが収容でき、ＶＬＡＮスイッチの適用が可能な移動体通信基幹網の構築が可能となる。
請求項１１に記載の発明によれば、局交換装置ごとにあらかじめＶＬＡＮパスでメッシュでパスを張っておき、そのトンネルにマッピングさせる方式で転送を行うネットワークにおいては、移動端末の位置情報の登録を行っているＨＬＲ、ＶＬＲの情報に対して、移動体通信基幹網内の中継装置の経路情報へのマッピングを必要とせず、また転送に必要なＶＬＡＮを束ねることができ、多数のユーザが収容できるＶＬＡＮスイッチの適用が可能な移動体通信基幹網の構築が可能となる。
【００２８】
請求項１４、１５、１９に記載の発明によれば、上記方法及び構成により、移動体通信基幹網では、従来のパケット転送で用いられているラベルを挿入することによってパケットの転送が可能となり、また、管理するパス数やラベル数を減らすことが可能となって、移動端末が基地局間を移動した場合の経路切り替えを高速に行うことが可能となる。
【００２９】
請求項１６に記載の発明によれば、移動体通信基幹網では、従来のパケット転送で用いられているＭＰＬＳラベルを挿入することによってパケットの転送が可能となり、また、管理するパス数やラベル数を減らすことが可能となって、移動端末が基地局間を移動した場合の経路切り替えを高速に行うことが可能となる。
【００３０】
請求項１７に記載の発明によれば、移動体通信基幹網では、従来のパケット転送で用いられているトンネルの宛先ＭＡＣアドレスを挿入することによってパケットの転送が可能となり、また、管理するパス数やラベル数を減らすことが可能となって、移動端末が基地局間を移動した場合の経路切り替えを高速に行うことが可能となる。
請求項１８に記載の発明によれば、移動体通信基幹網では、従来のパケット転送で用いられているＶＬＡＮタグを挿入することによってパケットの転送が可能となり、また、管理するパス数やラベル数を減らすことが可能となって、移動端末が基地局間を移動した場合の経路切り替えを高速に行うことが可能となる。
【発明を実施するための最良の形態】
【００３１】
＜第１の実施の形態＞
本発明の第１の実施の形態について図１〜図７を参照して説明する。図１において、移動体通信基幹網（以下単に網とも言う）１００は１つの大きなブロードキャストドメインとして構成される。移動端末１０は電話番号と電話番号からマッピングされたＩＰアドレスを保持している。割り当てについては、後で詳細に記す。移動体通信ネットワーク１０１は、端末との通信を行う基地局２０、２１と、基地局２０、２１にそれぞれ接続されて移動体通信基幹網１００を構築する局交換装置３０、３１と、他のネットワーク（例えばインターネット９０）との接続を担う関門交換装置４０を含む。
【００３２】
図１では、移動体通信ネットワーク１０１と他のネットワークであるインターネット９０を接続する例として、移動端末１０がゲートウエイ６０を通して固定端末５０と通信を行っている。移動端末１０の位置情報は、局交換装置３０に接続される地域レジスタ（ＶＬＲ）７０と、局交換装置３１に接続されるＶＬＲ７１と、網１００全体のユーザ情報を管理するホームレジスタ（ＨＬＲ）８０でそれぞれ管理されている。移動端末１０のＩＰアドレスの下位３２ビット（ｂｉｔ）には電話番号がマッピングされており、移動体通信基幹網１００のエッジを構成する局交換装置３０、３１及び関門交換装置４０は、網１００内に入るパケットｐ１に対してＩＰアドレスの下位３２ビットからラベルを生成し、パケットｐ１に挿入してパケットｐ２（以下、網内パケット）を生成することで、移動体通信基幹網１００内ではラベルによる転送で網内パケットｐ２を転送する。
【００３３】
移動端末１０のＩＰアドレスの詳細な割り当て例を図２を用いて説明する。図２において、移動端末１０の電話番号を、ＩＰｖ６のインタフェースＩＤの下位３２ビット分を電話番号を識別するために割り当て、移動端末１０ごとに割り当てる。ＩＰｖ６のネットワークアドレス前半６４ビットは、移動体事業者ごとに決められた値を割り当てる。
【００３４】
次に局交換装置３０、３１または関門交換装置４０が生成して挿入するラベルについての詳細な定義を説明する。移動体通信基幹網１００内でラベルによる転送で網内パケットｐ２を転送するために、ラベルは全部で４０ビットあり、ＩＰｖ６アドレスの下位３２ビットをそのまま下位３２ビットに割り当て、上位８ビットにサービス種別を割り当てる。例えば移動通信基幹網１００に属する端末１０には０ｘ００、インターネット９０には０ｘ０１、固定電話網に対しては０ｘ０２というように接続先ごとに割り当てを決定する。例えば3ffe:1:1:1::1111:0001という宛先ＩＰアドレスのパケットｐ１が入ってきた場合、3ffe:1:1::0が該当する移動体通信のネットワークアドレスであると仮定すると、0x0011110001というラベルが自動的に生成され、パケットｐ１に挿入されて網内パケットｐ２が生成される。
【００３５】
次に、モビリティ制御する際のネットワークの動作例を図３〜図７を用いて示す。図３はＨＬＲ８０とＶＬＲ７０、７１に位置登録する場合の通信シーケンスを示し、移動端末１０が局交換装置３０の配下から局交換装置３１の配下に移動した場合の位置登録の例である。この通信シーケンスにより、ＨＬＲ８０とＶＬＲ７０とＶＬＲ７１の登録内容が書き替わる。
【００３６】
どのように書き替わったかを示す例を図４に示す。まずＶＬＲ７０、７１は、ユーザＩＤと、通信する際に用いる一時的ＩＤと、移動端末１０が位置する基地局２０、２１を識別するエリア番号を項目として保持する。またＨＬＲ８０では、ユーザＩＤと、携帯電話番号と、当該移動端末がどのＶＬＲ７０、７１の配下に存在するかを示すＶＬＲ番号を項目として保持する。本例では、ＶＬＲ７０の該当ユーザ（ユーザＩＤ＝６５１のユーザ）が移動後は削除され、ＶＬＲ７１に新たに登録されている。また、ＨＬＲ８０を参照すると、ユーザＩＤ＝６５１のユーザの所属するＶＬＲ番号が７０から７１に変更され、端末電話番号＝09011112222のユーザの位置する場所がＶＬＲ７０配下の基地局２０から、ＶＬＲ７１配下の基地局２１に移動したことを示す。
【００３７】
図４で示した書き替えの結果から、局交換装置３０、３１間での転送レイヤでの経路表にマッピングを行う。図５及び図６はそのマッピングの例を示す。図５は、移動端末１０がＶＬＲ７０の配下に位置するときのマッピングを示す。関門交換装置４０、局交換装置３０、３１はそれぞれ出力ポート対応表を保持している。出力ポート対応表は、宛先の局交換装置をキーにラベルを付加するかどうかと、出力ポートを項目としている。ラベルを付加する場合はpush、付加しない場合はpopと記している。出力ポート対応表の情報は、端末の移動によって変化することはない。
【００３８】
局交換装置３０、３１及び関門交換装置４０は、出力ポート対応表とＨＬＲ８０から宛先経路表を生成する。ＨＬＲ８０を見て、端末の電話番号＝09011112222のユーザに関しては、宛先ＩＰアドレスは、 図２で示した規則に従って、3ffe:1:1:1::364e:781eというＩＰアドレスが割り当てられている。またラベルを生成して付けるかどうかについては、出力ポート対応表を見て、該当するＶＬＲ番号７０と対応する局交換装置３０から、ラベル付加の可否と、出力ポートを引くことができ、それを宛先経路表にマッピングする。なお、局交換装置３０、３１及び関門交換装置４０がＨＬＲ８０の保持している対応表を参照するタイミングとしては、例えば、（Ａ）各パケットの伝送処理ごとにＨＬＲ８０から最新の情報を取得、（Ｂ）各フローの伝送処理ごとにＨＬＲ８０から最新の情報を取得、（Ｃ）周期的に、ＨＬＲ８０が網１００内の交換装置に情報を提供、（Ｄ）ＨＬＲ８０が情報を更新した場合に、網１００内の局交換装置３０、３１や関門交換装置４０に提供など、局交換装置３０、３１及び関門交換装置４０は様々なタイミングでＨＬＲ８０の対応表を見ることが可能である。
【００３９】
またラベルを挿入する場合は、ラベルの中身については、図２の規則を用いてＩＰアドレスから一意にマッピングする。上記のようなマッピング規則により、図５では、移動端末１０が局交換装置３０の配下に存在する場合を示しているので、パケットｐ１が網１００内に入る位置の関門交換装置４０と局交換装置３１では、電話番号にマッピングしたラベルを生成してパケットｐ１に挿入するという経路になり、網内パケットｐ２が出る位置の局交換装置３０では網内パケットｐ２からラベルを削除して、ユーザ側に転送するという経路を生成することになる。
【００４０】
また図６は、ＨＬＲ８０が図３に示す通信シーケンスに従って、移動端末１０が局交換装置３０から局交換装置３１に移動した場合の書き替えを行った場合、宛先経路表にどのように反映されるかを示す。ＨＬＲ８０では、ＶＬＲ７０から７１に変更されている。ＶＬＲ７１に対応する局交換装置３１をキーに、各局交換装置３０、３１、関門交換装置４０が保持する出力ポート対応表から、それぞれの経路宛先表をマッピングする。図６では、パケットｐ１が網１００内に入る位置の関門交換装置４０と局交換装置３１では、電話番号にマッピングしたラベルを生成してパケットｐ１に挿入するということになり、網内パケットｐ２が出る位置の局交換装置３１では、網内パケットｐ２からラベルを削除してユーザ側に転送するという経路に変更になり、ＨＬＲ８０の変更契機に宛先経路の変更が行われている。
【００４１】
なお宛先経路表に関しては、関門交換装置４０及び局交換装置３０、３１が保持する出力ポート対応表とＨＬＲ８０の情報のみから一意に構築可能なので、宛先経路表の実体を各関門交換装置４０及び局交換装置３０、３１で保持する必要はなく、網１００内に入るパケットｐ１の到着の度に、出力ポート対応表とＨＬＲ８０に対して、仮想的に宛先経路表として見ることで、網内パケットｐ２を生成して転送することが可能となる。
【００４２】
図７は図３〜図６で示したモビリティ制御の概要をまとめたものである。移動端末１０が局交換装置３０配下に存在するとき、他のネットワークから関門交換装置４０を通して入ってくる移動端末１０宛のパケットｐ１に対して、関門交換装置４０は、ＨＬＲ８０の情報と自ら持つ出力ポート対応表から生成される宛先経路表からラベルを生成してパケットｐ１に挿入して網内パケットｐ２を生成し、これを出力ポート＃４を通して局交換装置３０に向かって送出する。局交換装置３０はその網内パケットｐ２を受け取って、ＨＬＲ８０の情報と自ら持つ出力ポート対応表から生成される宛先経路表に従い、網内パケットｐ２からラベルを削除してパケットｐ３を出力ポート＃１を通して移動端末１０側に送出する。
【００４３】
移動端末１０が局交換装置３１の配下に移動した場合、ＨＬＲ８０の情報が変更されており、したがってそこから生成される宛先経路表も変更される。この場合、関門交換装置４０はラベルを生成し、パケットｐ１に挿入するのは同じであるが、網内パケットｐ２を出力ポート＃５を通して局交換装置３１に向かって送出する。局交換装置３１はその網内パケットｐ２を受け取ってラベルを削除し、パケットｐ３を出力ポート＃１を通して移動端末１０側に送出する。
【００４４】
また、関門交換装置４０から網１００内に入ったパケットｐ２を必ず所望の局交換装置に到達させるため、関門交換装置４０間と局交換装置３０、３１間の中継装置（不図示）に対しても、同じような出力ポート対応表を保持させる必要があり、ＨＬＲ８０と出力ポート対応表から宛先経路表を生成する必要がある。マッピングの手法は、局交換装置３０、３１と関門交換装置４０のマッピングの手法と全く同じなので、説明は省く。上記の方法では、経路の変更がＨＬＲ８０の変更のみに完全に依存するため、ＨＬＲ８０の切り替え速度と同じ速度で経路の切り替えが可能となる。
【００４５】
＜第２の実施の形態＞
本発明の第２の実施の形態について図８〜図１１を参照して説明する。図８は第２の実施の形態の概要図を示し、本例では、局交換装置３０、３１間及び関門交換装置４０間にあらかじめパスＰ１、Ｐ２をメッシュ状に張り、そのパスＰ１、Ｐ２の識別を行う２バイトの識別子を外ラベルとし、パケットｐ１に外ラベルを挿入して網内パケットｐ２ａを生成することで網内パケットｐ２ａの転送を行う。またその内側に図２に示した電話番号をマッピングしたラベルを内ラベルとし、網内パケットｐ２ａの内ラベルからレイヤ１にマッピングを行って、アクセス側にパケットｐ３の転送を行う。移動体通信基幹網１００内のパケットｐ２ａには、内ラベルと外ラベルが２つのラベルが挿入され、移動体通信基幹網１００内はパケットｐ２ａが外ラベルのみに基づいて転送される。
【００４６】
図８のようなネットワークにおいて、図３に示すように移動端末１０が局交換装置３０から局交換装置３１の配下に移動した場合のＨＬＲ８０の変化に従って、各局交換装置３０、３１及び関門交換装置４０の宛先経路表を切り替える場合について図９と図１０を用いて説明する。図９は、移動端末１０がＶＬＲ７０の配下に存在するときのマッピングを示す。関門交換装置４０、局交換装置３０、３１はそれぞれ出力ポート対応表を保持し、出力ポート対応表は、宛先の局交換装置をキーにラベル付けの可否と、外ラベルと、出力ポートを項目としている。ラベルを付加する場合はpush、付加しない場合はpopと記している。pushの場合は、内ラベルと外ラベルどちらも挿入する。出力ポート対応表の情報は、端末１０の移動によって変化することはない。
【００４７】
局交換装置３０、３１間及び関門交換装置４０間のパスＰ１、Ｐ２をメッシュで張った時点で、出力ポート対応表が構築されている。局交換装置３０、３１及び関門交換装置４０は、出力ポート対応表とＨＬＲ８０から、宛先経路表を生成する。ＨＬＲ８０を見て、端末１０の電話番号＝09011112222のユーザに関しては、宛先ＩＰアドレスは、図２で示した規則に従って、3ffe:1:1:1::364e:781eというＩＰアドレスが割り当てられている。
【００４８】
また内ラベル及び外ラベルを生成して付けるかどうかについては、出力ポート対応表を見て、該当するＶＬＲ７０と対応する局交換装置３０から、ラベル付加の可否と、出力ポートを引くことができ、それを宛先経路表にマッピングする。また内ラベルを挿入する場合は、内ラベルの中身については、図２の規則を用いてＩＰアドレスから一意にマッピングする。このようにして、宛先ＩＰアドレスから、ラベル付加の可否と内ラベルと外ラベルと出力ポート番号を引くことができる経路表が構築できる。
【００４９】
図９は、移動端末１０が局交換装置３０の配下に位置する場合を示しているので、関門交換装置４０と局交換装置３１では、電話番号にマッピングしたラベルを生成してパケットｐ１に挿入するという経路になり、局交換装置３０では、網内パケットｐ２ａからラベルを削除してユーザ側に転送するという経路を生成することになる。
【００５０】
また図１０は、ＨＬＲ８０が図３に示す通信シーケンスに従って、移動端末１０が局交換装置３０から局交換装置３１に移動した場合の書き替えを行った場合、宛先経路表にどのように反映されるかを示す。ＨＬＲ８０では、ＶＬＲ７０から７１に変更されている。ＶＬＲ７１に対応する局交換装置３１をキーに、各局交換装置３０、３１、関門交換装置４０が保持する出力ポート対応表から、それぞれの経路宛先表をマッピングする。
【００５１】
図１０は、パケットｐ１が入る位置の関門交換装置４０と局交換装置３１では、電話番号にマッピングしたラベルを生成してパケットｐ１に挿入し、網内パケットｐ２ａを生成するということになり、網内パケットｐ２ａが出る位置の局交換装置３１では、網内パケットｐ２ａからラベルを削除してユーザ側に転送するという経路に変更になり、ＨＬＲ８０の変更契機に宛先経路の変更が行われている。
【００５２】
図１１は、図９と図１０で示したモビリティ制御についての概要をまとめたものである。移動端末１０が局交換装置３０の配下に位置するとき、他のネットワークから関門交換装置４０を通して入ってくる移動端末１０宛のパケットｐ１に対して、関門交換装置４０は、ＨＬＲ８０の情報と自ら持つ出力ポート対応表から生成される宛先経路表から内ラベルを生成してパケットｐ１に挿入し、また外ラベル＝0x0001をパケットｐ１に挿入して網内パケットｐ２ａを生成し、これを出力ポート＃４を通して局交換装置３０に向かって送出する。局交換装置３０は、その網内パケットｐ２ａを受け取って、ＨＬＲ８０の情報と自ら持つ出力ポート対応表から生成される宛先経路表に従い、網内パケットｐ２ａから内ラベル及び外ラベルを削除してパケットｐ３を出力ポート＃１を通して移動端末１０側に送出する。
【００５３】
その後、移動端末１０が局交換装置３１の配下に移動した場合、ＨＬＲ８０の情報が変更されており、したがって、そこから生成される宛先経路表も変更される。この場合、パケットｐ１が入る位置の関門交換装置４０は内ラベルを生成し、また、外ラベルは0x0002を生成しパケットｐ１に挿入して網内パケットｐ２ａを生成し、これを出力ポート＃５を通して局交換装置３１に向かって送出する。網内パケットｐ２ａが出る位置の局交換装置３１は、その網内パケットｐ２ａを受け取ってラベルを削除し、パケットｐ３を出力ポート＃１を通して移動端末１０側に送出する。
【００５４】
上記の方法では、経路の変更がＨＬＲ８０の変更のみに完全に依存するため、ＨＬＲ８０の切り替え速度と同じ速度で経路の切り替えが可能となる。また、本実施の形態では、移動体通信基幹網１００内は外ラベルのみの識別で転送できるため、移動体通信基幹網１００内の中継装置（不図示）はＨＬＲ８０との連携を必要としない。また経路を外ラベルによって束ねるので、網管理も容易になる。
【００５５】
＜第３の実施の形態＞
本発明の第３の実施の形態では、図１２に示すように移動体通信基幹網１００内のパケット転送に対してＭＰＬＳを適用し、ＭＰＬＳによる網内パケットｐ２１の転送を行う。図１２に本発明形態の概要図を示し、ＩＰアドレスの下位３２ビットの電話番号を網内パケットｐ２１内のＭＰＬＳラベルにマッピングする。図１３では、ＩＰアドレスからＭＰＬＳラベルにどのようにマッピングを行うかを示している。ＭＰＬＳのラベル部分は２０ビットなので、３２ビットの電話番号をそのままマッピングすることはできない。
【００５６】
そこで、ＨＬＲ８０は全ての局交換装置３０、３１と関門交換装置４０と接続している電話番号を２０ビットのＭＰＬＳラベルに変換するマッピング表を保持している。ここで、ＭＰＬＳラベルは２０ビットであるため、全部で約１００万人の加入者を収容できる。移動体通信基幹網１００での転送レイヤに対して、移動端末１０の移動が反映されるＨＬＲ８０の情報、第１の実施の形態と同じようにＭＰＬＳレイヤの経路としてマッピングすることで、移動端末１０に対する経路の切り替えを行うことができる。
【００５７】
＜第４の実施の形態＞
本発明の第４の実施の形態では、図１４に示すように移動体通信基幹網１００内のパケット転送に対して複数段のＭＰＬＳを適用し、複数段のＭＰＬＳラベルによる移動体通信基幹網内パケットｐ２１ａの転送を行う。図１５はＩＰアドレスから複数のＭＰＬＳラベルにどのようにマッピングを行うかを示している。ＭＰＬＳラベルは２０ビットであり、３２ビットの電話番号部分を割り当てるためには、２段付ける必要がある。そこで、それぞれ順番にＩＰアドレスのＬＳＢから順に２０ビットずつＭＰＬＳラベルに割り当てる。移動体通信基幹網１００内のパケットｐ２１ａの転送は、複数段のＭＰＬＳラベルを見て行う。移動体通信基幹網１００での転送レイヤに対して、移動端末１０の移動が反映されるＨＬＲ８０の情報、第１の実施の形態と同じように複数段のＭＰＬＳレイヤの経路としてマッピングすることで、移動端末１０に対する経路切り替えを行うことができる。
【００５８】
＜第５の実施の形態＞
本発明の第５の実施の形態では、図１６に示すように局交換装置３０、３１及び関門交換装置４０間で、ＭＰＬＳによるパスＰ１、Ｐ２の設定をメッシュに行い、移動体通信基幹網１００内ではパスＰ１、Ｐ２によりパケットｐ２１ｂの転送を行う。またパケットｐ２１ｂの中に電話番号をマッピングしたラベルを付ける。プロトコルスタックに記してある外ＭＰＬＳラベルが局交換装置３０、３１間及び関門交換装置４０間での転送に用いるラベルであり、内ＭＰＬＳラベルがＩＰアドレスから電話番号部分をマッピングしたラベルを指す。なお内ＭＰＬＳラベルは複数段ある場合もある。
【００５９】
移動体通信基幹網１００での転送レイヤに対して、移動端末１０の移動が反映されるＨＬＲ８０の情報、第２の実施の形態と同じようにＭＰＬＳレイヤの経路としてマッピングすることで、移動端末１０に対する経路切り替えを行うことができる。本方式では、移動体通信基幹網１００内の中継装置に対しては、ＨＬＲ８０の情報をマッピングさせる必要はなく、実際の転送ではあらかじめ決められた外ＭＰＬＳラベルでのみ行う。
【００６０】
＜第６の実施の形態＞
本発明の第６の実施の形態では、図１７に示すように移動体通信基幹網１００のパケットｐ２１の転送に対して、Ｌ２トンネルＴ１、Ｔ２によるＭＡＣ転送を適用し、網内パケットｐ２１内のＭＡＣアドレスにＩＰアドレスの下位３２ビットのマッピングを行う。図１８に移動体通信基幹網１００内のＭＡＣアドレスの下位３２ビットに、ＩＰアドレスの下位３２ビットに割り当てられている電話番号部分をマッピングする例を示す。ＭＡＣアドレスの下位３２ビットがそのまま割り当てられている。上位１６ビットは、宛先ネットワークの識別で用いる。移動体通信基幹網１００での転送レイヤに対して、移動端末１０の移動が反映されるＨＬＲ８０の情報、第１の実施の形態と同じようにＭＡＣレイヤの経路としてマッピングすることで、移動端末１０に対する経路切り替えを行うことができる。
【００６１】
＜第７の実施の形態＞
本発明の第７の実施の形態では、図１９に示すように移動体通信基幹網１００のパケット転送にＶＬＡＮを適用し、ＶＬＡＮタグによる網内パケットｐ２２の転送を行う。図１９はＶＬＡＮタグ１段による転送の概要図を示す。図２０はＩＰアドレスから網内パケットｐ２２のＶＬＡＮタグにどのようなマッピングを行うかを示している。なお、ＶＬＡＮのＶＩＤは１２ビットなので、３２ビットの電話番号をそのままマッピングすることはできないが、全部で加入者４０９６名の端末を収容できる。ＨＬＲ８０は、電話番号を１２ビットのＶＩＤへマッピングさせるためのデータベースであるマッピング表を保持している。移動体通信基幹網１００での転送レイヤに対して、移動端末１０の移動が反映されるＨＬＲ８０の情報、第１の実施の形態と同じようにＶＬＡＮレイヤの経路としてマッピングすることで、移動端末１０に対する経路切り替えを行うことができる。
【００６２】
＜第８の実施の形態＞
本発明の第８の実施の形態では、図２１に示すように移動体通信基幹網１００のパケット転送に複数段のＶＬＡＮを適用し、複数段のＶＬＡＮタグによる網内パケットｐ２２ａの転送を行う。図２２はＩＰアドレスから複数のＶＬＡＮタグにどのようにマッピングを行うかを示している。ＶＬＡＮのＶＩＤは１２ビットであり、３２ビットの電話番号部分を割り当てるためには、タグを３つ付ける必要がある。そこで、それぞれ順番にＩＰアドレスのＬＳＢから順に１２ビットずつ、ＶＬＡＮタグのＶＩＤに割り当てる。移動体通信基幹網１００内のパケットｐ２２ａの転送は、複数段のＶＬＡＮタグを見て行う。移動体通信基幹網１００での転送レイヤに対して、移動端末１０の移動が反映されるＨＬＲ８０の情報、第１の実施の形態と同じように複数段のＶＬＡＮレイヤの経路としてマッピングすることで、移動端末１０に対する経路切り替えを行うことができる。
【００６３】
＜第９の実施の形態＞
本発明の第９の実施の形態では、図２３に示すように局交換装置３０、３１及び関門交換装置４０間で、ＶＬＡＮによるパスＰ１、Ｐ２の設定をメッシュに行い、移動体通信基幹網１００内のパケットｐ２２ｂの転送をパスＰ１、Ｐ２により行う。またパケットｐ２２ｂの中に電話番号をマッピングしたＶＬＡＮタグを付け、プロトコルスタックに記してある外ＶＬＡＮタグが局交換装置３０、３１間及び関門交換装置４０間での転送に用いるラベルであり、内ＶＬＡＮタグがＩＰアドレスから電話番号部分をマッピングしたラベルを指す。なお内ＶＬＡＮタグは、複数段ある場合もある。
【００６４】
移動体通信基幹網１００での転送レイヤに対して、移動端末１０の移動が反映されるＨＬＲ８０の情報、第２の実施の形態と同じようにＭＰＬＳレイヤの経路としてマッピングすることで、移動端末１０に対する経路切り替えを行うことができる。本方式では、移動体通信基幹網１００内の中継装置（不図示）に対してはＨＬＲ８０の情報をマッピングさせる必要はなく、実際の転送ではあらかじめ決められた外ＶＬＡＮでのみ行う。
【００６５】
＜第１０の実施の形態＞
本発明の第１０の実施の形態でも、上記の第１〜第９の実施の形態と同様に、各移動端末１０のＩＰｖ６アドレスの下位３２ビット分に対して、各移動端末１０の電話番号のマッピングを行う。図２４は、本発明の第１０の実施の形態を示す構成図である。移動体通信基幹網１００内では、あらかじめメッシュ状にパスを張っておき、ラベルによるパケットの転送が行われる。また、局交換装置３０、３１が移動端末１０に向けて送出すべきパケットを受け取った場合、ラベルを参照して自局交換装置３０、３１宛（自局交換装置３０、３１の配下に存在する移動端末１０宛）かどうかを確認し、ＩＰアドレスの下位３２ビットから電話番号を取り出して、その電話番号をレイヤ１やレイヤ２にマッピングする。局交換装置３０、３１と移動端末１０との間は、レイヤ１やレイヤ２によってパケットの転送が行われる。
【００６６】
図２５は、本発明の第１０の実施の形態における端末移動前の経路表へのマッピングを示す説明図である。ＩＰアドレスから複数のＭＰＬＳラベルにどのようにマッピングを行うかを示している。局交換装置３０、３１及び関門交換装置４０はそれぞれ出力ポート対応表を保持している。出力ポート対応表は、宛先の局交換装置、ラベル付けの可否（push、pop）、ラベル付けを行う場合に挿入すべきラベル、出力ポートの各項目を保持するものである。
【００６７】
局交換装置３０、３１が、移動体通信基幹網１００からパケットを受信し、そのパケットを移動端末１０に転送する場合には、局交換装置３０、３１でＩＰヘッダを参照して、下位３２ビットに割り当てられている電話番号を取り出す。そして、その電話番号をレイヤ１やレイヤ２にマッピングすることで、移動端末１０側（アクセス側）にパケットを転送する。したがって、本発明の第１０の実施の形態を本発明の第２の実施の形態と比較した場合、本発明の第２の実施の形態では、アクセス側へのパケットの転送の際、電話番号を内ラベルから取り出してレイヤ１にマッピングしているが、本発明の第１０の実施の形態では、ＩＰアドレスの下位３２ビットを参照して電話番号を取得し、レイヤ１にマッピングする点で異なっている。すなわち、本発明の第１０の実施の形態では、網内パケットに電話番号をマッピングしたラベルを挿入する必要はない。
【００６８】
また、ＨＬＲ８０は、ユーザＩＤと、携帯電話番号と、当該移動端末１０がどのＶＬＲ７０、７１（局交換装置３０、３１と対応関係にある）の配下に存在するかを示すＶＬＲ番号とを、各項目とする対応表を保持している。局交換装置３０、３１及び関門交換装置４０は、このＨＬＲ８０が保持する対応表を参照して、宛先経路表を仮想的に構築し、この仮想的に構築された宛先経路表によって、所定のＩＰアドレスのパケットに対して、ラベル付けを行うか否か、あるいは、どのラベルを挿入するかを決定して、該当する出力ポートに当該パケットを送信する。図２５の例では、関門交換装置４０において、3ffe:1:1:1::364e:781eのＩＰアドレスを有するパケットは、0x0001のラベルが挿入されて出力ポート＃４に送信される。
【００６９】
また、図２６は、本発明の第１０の実施の形態における端末移動後の経路表へのマッピングを示す説明図である。移動端末１０が局交換装置３０から局交換装置３１に移動した場合、図３に示す位置登録の変更処理に従って、ＨＬＲ８０が保持する対応表では、当該移動端末１０のＶＬＲ番号が７０（局交換装置３０に対応）から７１（局交換装置３１に対応）に変更される。局交換装置３０、３１及び関門交換装置４０は、移動端末１０のハンドオーバ前と同様に、このＨＬＲ８０が保持する対応表を参照して、宛先経路表を仮想的に構築する。
【００７０】
図２６の例では、関門交換装置４０において、3ffe:1:1:1::364e:781eのＩＰアドレスを有するパケットは、0x0002のラベルが挿入されて出力ポート＃４に送信されるようになり、ＨＬＲ８０における変更を契機として経路の切り替えが可能となる。このように、本発明の第１０の実施の形態では、移動体通信基幹網１００内ではあらかじめメッシュ状に張ったパス上をラベルで転送するため、網管理が容易となり、また、本発明の第２の実施の形態に比べて、電話番号をマッピングしたラベルを挿入する必要がないので、プロトコル構成が簡単になる。
【００７１】
＜第１１の実施の形態＞
本発明の第１１の実施の形態では、移動体通信基幹網１００内において、メッシュ状にＭＰＬＳによるパスの設定を行い、移動体通信基幹網１００内では、ＭＰＬＳラベルによる転送が行われるように構成する。図２７は、本発明の第１１の実施の形態を示す構成図である。プロトコルスタックに記してあるＭＰＬＳラベルが、局交換装置３０、３１間及び関門交換装置４０間での転送に用いられるラベルである。なお、例えば、上記の第５の実施の形態では、ＩＰアドレスから電話番号部分をマッピングした外ＭＰＬＳラベルを用いているが、ここでは、ＭＰＬＳラベルに電話番号部分をマッピングする必要はない。
【００７２】
また、移動体通信基幹網１００内での転送レイヤに対して、移動端末１０のハンドオーバに応じてＨＬＲ８０内の対応表を更新し、上記の第５の実施の形態における外ＭＰＬＳラベルによる転送と同様に、ＭＰＬＳレイヤの経路によるマッピングを行うことによって、移動端末１０のハンドオーバに対する経路切り替えを行うことができる。また、移動体通信基幹網１００内の中継装置に対してはＨＬＲ８０の情報をマッピングさせる必要はなく、あらかじめ決められたＭＰＬＳラベルによってパケットの転送を行うことが可能である。また、局交換装置３０、３１が移動端末１０に向けて送出すべきパケットを受け取った場合、ＭＰＬＳラベルを参照して自局交換装置３０、３１宛（自局交換装置３０、３１の配下に存在する移動端末１０宛）かどうかを確認し、ＩＰアドレスの下位３２ビットから電話番号を取り出して、その電話番号をレイヤ１やレイヤ２にマッピングする。局交換装置３０、３１と移動端末１０との間は、レイヤ１やレイヤ２によってパケットの転送が行われる。そのため、例えば、第５の実施の形態で行われている電話番号をマッピングしたＭＰＬＳラベルの挿入を行う必要はなく、管理するラベル数が減り、網構成がシンプルになる。
【００７３】
＜第１２の実施の形態＞
本発明の第１２の実施の形態では、移動体通信基幹網１００内の転送に関して、通常のレイヤ２ネットワーク（イーサネット（登録商標）網）を適用し、メッシュ状にＭＡＣアドレスによる転送網を構築する。図２８は、本発明の第１２の実施の形態を示す構成図である。なお、ここでは、各局交換装置３０、３１及び各関門交換装置４０には、各局交換装置３０、３１及び各関門交換装置４０のＭＡＣアドレスと出力ポートとが設定される。
【００７４】
また、移動体通信基幹網１００内での転送レイヤに対して、移動端末１０のハンドオーバに応じてＨＬＲ８０内の対応表を更新し、上記の第６の実施の形態におけるＭＡＣレイヤの経路によるマッピングを行うことで、移動端末１０のハンドオーバに対する経路切り替えを行うことができる。また、局交換装置３０、３１が移動端末１０に向けて送出すべきパケットを受け取った場合、ＭＡＣアドレスを参照して自局交換装置３０、３１宛（自局交換装置３０、３１の配下に存在する移動端末１０宛）かどうかを確認し、ＩＰアドレスの下位３２ビットから電話番号を取り出して、その電話番号をレイヤ１やレイヤ２にマッピングする。局交換装置３０、３１と移動端末１０との間は、レイヤ１やレイヤ２によってパケットの転送が行われる。そのため、例えば、第６の実施の形態で行われている電話番号のＭＡＣアドレスへのマッピングを行う必要はなく、第６の実施の形態では管理すべきＭＡＣアドレスがユーザ数分だけ必要であったが、この第１２の実施の形態では、局交換装置３０、３１及び関門交換装置４０の数だけで十分となる。
【００７５】
＜第１３の実施の形態＞
本発明の第１３の実施の形態では、移動体通信基幹網１００内において、メッシュ状にＶＬＡＮによるパスの設定を行い、移動体通信基幹網１００内では、ＶＬＡＮタグによる転送が行われるように構成する。図２９は、本発明の第１３の実施の形態を示す構成図である。プロトコルスタックに記してあるＶＬＡＮタグが、局交換装置３０、３１及び関門交換装置４０間での転送に用いられるラベルである。なお、例えば、上記の第７の実施の形態では、ＩＰアドレスから電話番号部分をマッピングしたＶＬＡＮタグを用いているが、ここでは、ＶＬＡＮタグに電話番号部分をマッピングする必要はない。
【００７６】
また、移動体通信基幹網１００内での転送レイヤに対して、移動端末１０のハンドオーバに応じてＨＬＲ８０内の対応表を更新し、上記の第９の実施の形態における外ＶＬＡＮタグによる転送と同様に、ＶＬＡＮレイヤの経路によるマッピングを行うことによって、移動端末１０のハンドオーバに対する経路切り替えを行うことができる。また、移動体通信基幹網１００内の中継装置に対してはＨＬＲ８０の情報をマッピングさせる必要はなく、あらかじめ決められたＶＬＡＮタグによってパケットの転送を行うことが可能である。また、局交換装置３０、３１が移動端末１０に向けて送出すべきパケットを受け取った場合、ＶＬＡＮタグを参照して自局交換装置３０、３１宛（自局交換装置３０、３１の配下に存在する移動端末１０宛）かどうかを確認し、ＩＰアドレスの下位３２ビットから電話番号を取り出して、その電話番号をレイヤ１やレイヤ２にマッピングする。局交換装置３０、３１と移動端末１０との間は、レイヤ１やレイヤ２によってパケットの転送が行われる。そのため、例えば、第７の実施の形態で行われている電話番号をマッピングしたＶＬＡＮタグの挿入を行う必要はなく、管理するＶＬＡＮＩＤが減り、網構成がシンプルになる。
【産業上の利用可能性】
【００７７】
本発明の移動体通信におけるモビリティ制御方法及びシステム並びに関門交換装置及び局交換装置は、移動端末が基地局間を移動した場合の経路切り替えを高速に行うことができるという効果を有し、移動端末が基地局間を移動した場合に経路切り替えを行う移動体通信に有用であり、特にＩＰサポートした移動体通信において有用である。
【図面の簡単な説明】
【００７８】
【図１】本発明の第１の実施の形態を示す構成図
【図２】本発明の第１の実施の形態におけるＩＰアドレスとラベルのマッピングを示す説明図
【図３】本発明の第１の実施の形態における位置登録の流れを示す説明図
【図４】本発明の第１の実施の形態におけるＨＬＲとＶＬＲの変化の例を示す説明図
【図５】本発明の第１の実施の形態における端末が移動する前の経路表へのマッピングを示す説明図
【図６】本発明の第１の実施の形態における端末が移動した後の経路表へのマッピングを示す説明図
【図７】本発明の第１の実施の形態におけるモビリティ制御を示す構成図
【図８】本発明の第２の実施の形態を示す構成図
【図９】本発明の第２の実施の形態における端末移動前の経路表へのマッピングを示す説明図
【図１０】本発明の第２の実施の形態における端末移動後の経路表へのマッピングを示す説明図
【図１１】本発明の第２の実施の形態でのモビリティ制御におけるモビリティ制御を示す構成図
【図１２】本発明の第３の実施の形態を示す構成図
【図１３】本発明の第３の実施の形態におけるＩＰアドレスとＭＰＬＳラベルへのマッピングを示す説明図
【図１４】本発明の第４の実施の形態を示す構成図
【図１５】本発明の第４の実施の形態におけるＩＰアドレスと複数のＭＰＬＳラベルへのマッピングを示す説明図
【図１６】本発明の第５の実施の形態を示す構成図
【図１７】本発明の第６の実施の形態を示す構成図
【図１８】本発明の第６の実施の形態におけるＩＰアドレスとＭＡＣアドレスへのマッピングを示す説明図
【図１９】本発明の第７の実施の形態を示す構成図
【図２０】本発明の第７の実施の形態におけるＩＰアドレスとＶＬＡＮタグへのマッピングを示す説明図
【図２１】本発明の第８の実施の形態を示す構成図
【図２２】本発明の第８の実施の形態におけるＩＰアドレスと複数のＶＬＡＮタグへのマッピングを示す説明図
【図２３】本発明の第９の実施の形態を示す構成図
【図２４】本発明の第１０の実施の形態を示す構成図
【図２５】本発明の第１０の実施の形態における端末移動前の経路表へのマッピングを示す説明図
【図２６】本発明の第１０の実施の形態における端末移動後の経路表へのマッピングを示す説明図
【図２７】本発明の第１１の実施の形態を示す構成図
【図２８】本発明の第１２の実施の形態を示す構成図
【図２９】本発明の第１３の実施の形態を示す構成図
【図３０】従来例を示す構成図
【図３１】図３０において端末移動後を示す構成図
【符号の説明】
【００７９】
１０  移動端末
２０、２１  基地局
３０、３１  局交換装置
４０  関門交換装置
５０  固定端末（ＩＰ電話機）
６０  ゲートウエイ
７０、７１  地域レジスタ（ＶＬＲ）
８０  ホームレジスタ（ＨＬＲ）
９０  インターネット
１００  移動体通信基幹網（網）
１０１  移動体通信ネットワーク
【図１】
2004159301.tif 000003
【図２】
2004159301.tif 000004
【図３】
2004159301.tif 000005
【図４】
2004159301.tif 000006
【図５】
2004159301.tif 000007
【図６】
2004159301.tif 000008
【図７】
2004159301.tif 000009
【図８】
2004159301.tif 000010
【図９】
2004159301.tif 000011
【図１０】
2004159301.tif 000012
【図１１】
2004159301.tif 000013
【図１２】
2004159301.tif 000014
【図１３】
2004159301.tif 000015
【図１４】
2004159301.tif 000016
【図１５】
2004159301.tif 000017
【図１６】
2004159301.tif 000018
【図１７】
2004159301.tif 000019
【図１８】
2004159301.tif 000020
【図１９】
2004159301.tif 000021
【図２０】
2004159301.tif 000022
【図２１】
2004159301.tif 000023
【図２２】
2004159301.tif 000024
【図２３】
2004159301.tif 000025
【図２４】
2004159301.tif 000026
【図２５】
2004159301.tif 000027
【図２６】
2004159301.tif 000028
【図２７】
2004159301.tif 000029
【図２８】
2004159301.tif 000030
【図２９】
2004159301.tif 000031
【図３０】
2004159301.tif 000032
【図３１】
2004159301.tif 000033